(57)【特許請求の範囲】
【請求項１】
上部が開放状とされて内部に溶鋼を貯留可能とされると共に、外壁面から突出状に設けられた張り出し部を備える本体部と、前記本体部の上部を覆うように載置されるカバー体と、を有するタンディッシュであって、
前記張り出し部は、左右方向に長尺とされている前記本体部の前側の長辺と後側の長辺にそれぞれ設けられ、且つ左右方向に少なくとも２箇所以上配備されていて、
前記本体部の上部には、前記カバー体が挿入される嵌入部が備えられていて、
前記嵌入部の一方側は、前記本体部の前側の長辺に配備され、且つ前記嵌入部の他方側は、前記本体部の後側の長辺に配備されていて、
前記嵌入部の一方側と他方側との間に前記カバー体が挿入可能とされ、挿入されたカバー体の縁部が前記嵌入部に当接可能とされている
ことを特徴とするタンディッシュ。
【請求項２】
前記嵌入部は、前記張り出し部に対応する位置に備えられていることを特徴とする請求項１に記載のタンディッシュ。
【請求項３】
前記嵌入部と前記カバー体との間には、前記嵌入部と前記カバー体との間の隙間を調整する隙間調整手段が設けられていることを特徴とする請求項１又は２に記載のタンディッシュ。
【請求項４】
前記嵌入部は、前記本体部の左右方向に少なくとも２箇所以上、配備されていることを特徴とする請求項１〜３のいずれかに記載のタンディッシュ。
【請求項５】
前記張り出し部は、前記本体部を吊り上げる吊り上げ部位を有していて、当該張り出し部の基端側に、前記嵌入部が備えられていることを特徴とする請求項１〜４のいずれかに記載のタンディッシュ。
【請求項６】
前記カバー体には、耐圧縮部材が設けられ、前記耐圧縮部材の端部が前記嵌入部に対応する位置となるように配設されていることを特徴とする請求項１〜５のいずれかに記載のタンディッシュ。
【請求項７】
前記耐圧縮部材は、前記カバー体の内部に設けられ、且つ前後方向に延びる棒体であることを特徴とする請求項６に記載のタンディッシュ。
【発明の詳細な説明】
【技術分野】
【０００１】
本発明は、連続鋳造装置で用いられるタンディッシュに関する。
【背景技術】
【０００２】
一般に、連続鋳造設備では、転炉や二次精錬設備等から出鋼された溶鋼を取鍋によってタンディッシュまで搬送し、搬送された取鍋内の溶鋼をタンディッシュへ注入後、このタンディッシュから鋳型へ溶鋼を供給することで、溶鋼を連続的に鋳造している。
このタンディッシュは、タンディッシュカー（溶鋼容器支持装置）に搭載されると共に、このタンディッシュカーに搬送されて取鍋の下方且つ鋳型の上方に設置される。また、タンディッシュは、定期的に整備を受けるために、クレーン装置などで吊下されて整備場などに搬送される。
【０００３】
タンディッシュカーにおけるタンディッシュの搭載方法や、クレーン装置におけるタンディッシュの吊下方法、言い換えれば、タンディッシュを支持する方法としては、例えば「本体部の左右方向の両端部を支持点として、タンディッシュを支持する方法」（第１の支持方法とする）や、「本体部の前側壁及び後側壁から突出状に設けられた張り出し部を用いて、タンディッシュを支持する方法」（第２の支持方法とする）などが挙げられる。
【０００４】
タンディッシュの本体部が左右に張り出していない、言い換えれば、注入口（ストランド）が１つ又は２つであって左右方向の長さが短いタンディッシュの場合、上述の第１の支持方法を採用することが多い。なお、前述の前後・左右の方向は、後述する「発明を実施するための形態」で定義している方向と一致する。
一方で、多くのストランドが備えられているタンディッシュは、左右方向に伸長し長尺なものとなるため、第１の支持方法を採用することは好ましくない。
【０００５】
理由としては、本体部の左右方向の両端部を支持点として、長尺とされたタンディッシュを支持すると、その支持状態が「両端単純支持はり」の状態となる。この支持状態では、タンディッシュの重量と、本体部内に注入されている溶鋼の重量により、タンディッシュ全体に大きな応力が付与されてしまい、左右方向に長いタンディッシュが湾曲状に変形する虞がある。このような変形状態で溶鋼を連続的に鋳造し続けると、タンディッシュの寿命を短くしてしまう虞がある。タンディッシュが湾曲状に変形することにより耐火物が変形して耐火物に亀裂が生じ漏鋼の虞もある。
【０００６】
このような変形を防ぐためには、タンディッシュの本体部の剛性アップを図ることが考えられる。
しかし、本体部の剛性を向上させようとすると、タンディッシュそのものが重厚なものになってしまうので、例えば溶鋼を連続的に鋳造する際に、タンディッシュをスムーズに搬送することが困難となる。また、タンディッシュカーなども、その重厚なタンディッシュに耐えうるものとする必要も生じる。つまり、タンディッシュ及び、そのタンディッシュに関連する設備の製造コスト、溶鋼の鋳造コストが嵩んでしまう虞がある。
【０００７】
さらに、例えば５ストランド以上といった、多ストランドのタンディッシュの場合においては、本体部の剛性アップを図ったとしても、元々かなり長いものであるので、第１の支持方法にて生じる変形を防ぐことができない。
上記の理由により、多ストランド用の左右に長尺なタンディッシュの場合では、第２の支持方法が採用されている。
【０００８】
第２の支持方法、すなわち、前側壁及び後側壁から突出状に設けられた張り出し部を用いて、タンディッシュを支持する方法としては、例えば、特許文献１、２などに示す方法が挙げられる。
特許文献１の図１を参照すると、タンディッシュの長辺側の両側面に、側方に突出するロッドをそれぞれ２本設けておいて、該ロッドを昇降フレームの支持ビームの両端部に設置されたロッド支承部に当接させている。すなわち、特許文献１では、本体に設けられたロッドを介して、タンディッシュを支持している。
【０００９】
特許文献２の第８図（ｂ）を参照すると、タンディッシュ専用吊具を、タンディッシュの外壁から突出状に形成された部材（張り出し部材）に引っ掛けて、タンディッシュを吊り上げている。すなわち、特許文献２では、本体に設けられた突出状の部材を介して、タンディッシュを支持している。
【先行技術文献】
【特許文献】
【００１０】
【特許文献１】特許第５１３９８８０号公報
【特許文献２】実公平７−５００４４号公報
【発明の開示】
【発明が解決しようとする課題】
【００１１】
特許文献１、２などに開示されたタンディッシュの支持方法（第２の支持方法）においても、以下に述べる未解決の課題が存在する。
すなわち、タンディッシュは、本体部と、本体部内に注入された溶鋼を含めると、その本体部の自重は数十トンにもなることがある。さらに、多ストランドのタンディッシュにおいては、その自重が百トンを超えることもある。
【００１２】
ここで、図６は、従来例であって、第２の支持方法によりタンディッシュをタンディッシュカーなどに載置した場合を示す図である。また、図７は、従来例であって、第２の支持方法によりタンディッシュを吊具などで吊り上げた場合を示す図である。
図６に示すように、従来のタンディッシュを前側壁・後側壁に設けられた張り出し部を介して載置した場合、張り出し部を下方から支持するため、本体部には、耐火物を含む本体部の自重、カバー体の重さ、注入されている溶鋼の重さが合わさった重量によるモーメントが作用する。
【００１３】
また、図７に示すように、従来のタンディッシュを前側壁・後側壁に設けられた張り出し部を介して懸吊した場合、張り出し部を上方へ引っ張り上げるため、本体部には、上で述べた合計重量によるモーメントが作用する。
前述のモーメントにより、開口された上部、すなわち本体部を構成する薄い鉄皮に対して、内部側に押し潰す力が発生して、本体部の上部が変形する（例えば、紙コップが握り潰されるような変形）。特に、多ストランドのタンディッシュにおいては、左右方向に長尺であるため内部側に押し潰す力に対する剛性が低下し、大きく変形する虞がある。タンディッシュの本体部の上部が変形することにより耐火物が変形して耐火物に亀裂が生じ漏鋼の虞もある。
【００１４】
このような課題の解決策としては、例えば、開口された本体部の上部に棒材（バー）を前後方向に掛け渡すように配備することが考えられる。
しかしながら、本体部の上部に棒材を設けたタンディッシュの場合、溶鋼を注ぎ終えた後の残鋼処理や、耐火レンガの貼り替えなどの耐火物処理をする際には、掛け渡すように設けられた棒材が邪魔になり、容易にタンディッシュに対する処理を行うことができない。
【００１５】
すなわち、タンディッシュの本体部の上部において、片側の側壁と対向する他の側壁とを棒材などの強度部材で掛け渡すことは、現実的ではない。
また、上記した解決策の他に、タンディッシュの本体部の板厚を大きくする、すなわち鉄皮を厚くするなどの方法が挙げられるが、鉄皮の板厚を大きくしたとしても限度があるので、本体部に付与される応力を大幅に緩和することは困難である。
【００１６】
一方で、タンディッシュの本体部の外側、すなわち鉄皮の外側を補強する方法も挙げられるが、タンディッシュをタンディッシュカーに載置した際、タンディッシュカーを構成する部材がタンディッシュの本体部の外壁に接近するので、鉄皮の外側に、応力を大幅に緩和するための補強を施工することは難しい。
まとめると、タンディッシュの鉄皮（本体部）を厚くしたり、鉄皮の外側を補強したりしても、応力を大幅に緩和させることができないのが実情である。
【００１７】
そこで、本発明は、上記問題点に鑑み、左右方向に長尺の本体部を載置したり、吊り上げたりしても、本体部に付与される応力を緩和して、タンディッシュの変形を防止することを可能とするタンディッシュを提供することを目的とする。  
【課題を解決するための手段】
【００１８】
上述の目的を達成するため、本発明においては以下の技術的手段を講じた。
本発明にかかるタンディッシュは、上部が開放状とされて内部に溶鋼を貯留可能とされると共に、外壁面から突出状に設けられた張り出し部を備える本体部と、前記本体部の上部を覆うように載置されるカバー体と、を有するタンディッシュであって、前記張り出し部は、左右方向に長尺とされている前記本体部の前側の長辺と後側の長辺にそれぞれ設けられ、且つ左右方向に少なくとも２箇所以上配備されていて、前記本体部の上部には、前記カバー体が挿入される嵌入部が備えられていて、前記嵌入部の一方側は、前記本体部の前側の長辺に配備され、且つ前記嵌入部の他方側は、前記本体部の後側の長辺に配備されていて、前記嵌入部の一方側と他方側との間に前記カバー体が挿入可能とされ、挿入されたカバー体の縁部が前記嵌入部に当接可能とされていることを特徴とする。
【００１９】
好ましくは、前記嵌入部は、前記張り出し部に対応する位置に備えられているとよい。
好ましくは、前記嵌入部と前記カバー体との間には、前記嵌入部と前記カバー体との間の隙間を調整する隙間調整手段が設けられているとよい。
好ましくは、前記嵌入部は、前記本体部の左右方向に少なくとも２箇所以上、配備されているとよい。
【００２０】
好ましくは、前記張り出し部は、前記本体部を吊り上げる吊り上げ部位を有していて、当該張り出し部の基端側に、前記嵌入部が備えられているとよい。
好ましくは、前記カバー体には、耐圧縮部材が設けられ、前記耐圧縮部材の端部が前記嵌入部に対応する位置となるように配設されているとよい。
【００２１】
好ましくは、前記耐圧縮部材は、前記カバー体の内部に設けられ、且つ前後方向に延びる棒体であるとよい。
【発明の効果】
【００２２】
本発明のタンディッシュによれば、左右方向に長尺の本体部を載置したり、吊り上げたりしても、本体部に付与される応力を緩和して、タンディッシュの変形を防止することができる。
【図面の簡単な説明】
【００２３】
【図１】本発明にかかるタンディッシュの平面図であり、カバー体の一部を切断して示した図である。
【図２】本発明にかかるタンディッシュを前後方向に切断した側方断面図である（断面Ａ−Ａ）。
【図３】タンディッシュを前後方向に切断した側方断面を拡大した図である（拡大図Ｂ）。
【図４】本発明のタンディッシュをタンディッシュカー、あるいは整備場などに配備されているタンディッシュ専用架台などの載置台に載置した場合を示す図である。
【図５】本発明のタンディッシュを吊具などで吊り上げた場合を示す図である。
【図６】従来のタンディッシュを、例えばタンディッシュカー、あるいは整備場などに配備されているタンディッシュ専用架台などの載置台に載置した状態を示す図である。
【図７】従来のタンディッシュを吊具などで吊り上げた状態を示す図である。
【図８】連続鋳造装置の概要を示した模式図である。
【発明を実施するための形態】
【００２４】
以下、図面を参照しながら、本発明の実施形態を説明する。
以下、本実施形態にかかるタンディッシュ２を説明する前に、本実施形態のタンディッシュ２が配備された連続鋳造設備１についての説明を行う。
図８に示すように、連続鋳造設備１は、溶鋼４を一時的に貯留するタンディッシュ２と、溶鋼４を鋳造する鋳型３と、鋳型３から出た鋳片５を支えつつ移送する複数のサポートロール６とを有している。このような構成の連続鋳造設備１では、取鍋７により運ばれてきた溶鋼４がタンディッシュ２に注がれ、注がれた溶鋼４はタンディッシュ２に設けた浸漬ノズル８を介して鋳型３に注入される。鋳型３では注入された溶鋼４が冷却され、その表面部が凝固した状態の鋳片５となって、サポートロール６に保持されながら鋳型３下部から引き抜かれて、下流側に搬送されるようになっている。
【００２５】
次に、本実施形態にかかるタンディッシュ２の構成について、詳しく説明する。
説明の便宜上、図１に示すように、タンディッシュ２を平面視した状態において、図１の下側をタンディッシュ２の前側とし、図１の上側をタンディッシュ２の後側とする。図１の左右方向をタンディッシュ２の右左方向乃至は幅方向とする。タンディッシュ２の前後方向を奥行き方向と呼ぶこともある。
【００２６】
また、図２に示すように、タンディッシュ２を側方断面視した状態において、図２の右側がタンディッシュ２の後側であり、図２の左側がタンディッシュ２の前側である。タンディッシュ２を側方断面視している、図３〜図５においても同様である。
図１に示すように、タンディッシュ２は、左右方向に長尺とされているものであって、上部が開放状とされて内部に溶鋼４を貯留可能とされると共に、外壁面から突出状に設けられた張り出し部２５を備える本体部９と、本体部９の上部を覆うように載置されるカバー体２１と、を有している。
【００２７】
この本体部９は、有底箱形に形成された容器であって、取鍋７からの溶鋼４が注入される注入室１１と、注入室１１の前側に備えられ、且つ溶鋼４を鋳型３に装入する分配室１２と、を有している。
詳しくは、タンディッシュ２の本体部９（鉄皮１０）は、平面視で略Ｔ形状とされた底壁１４と、この底壁１４の前縁側から立ち上がる前壁１５と、この前壁１５の幅方向の両端側に位置し且つ底壁１４の縁から立ち上がる左右一対の第１側壁１６と、前壁１５の後側であって左右方向に伸びる底壁１４の縁から立ち上がって第１側壁１６に連結する左右一対の第１後壁１７と、第１後壁１７の左右方向内側の端部側であって底壁１４の縁から立ち上がる左右一対の第２側壁１８と、各第２側壁１８の間に配置され底壁１４の後側の縁から立ち上がる第２後壁１９とで、構成されている。この鉄皮１０の上面、すなわち本体部９の内部には、耐火物（耐火レンガ）２０が敷き詰められている。
【００２８】
図１に示すように、タンディッシュ２の平面視において、前壁１５と第２後壁１９とは左右方向に平行となっていて、第１後壁１７は前壁１５と対面する位置であって、前壁１５に対して左右方向に傾斜状となっている。また、第２側壁１８も前壁１５に対して左右方向に傾斜状となっている。
具体的には、各第１後壁１７は、内側の端部から外側の端部に行くにしたがって徐々に前側に近づいており、各第２側壁１８は内側の端部から外側の端部に行くにしたがって急激に前側に近づいている。
【００２９】
注入室１１は、左右一対の第２側壁１８と、第２後壁１９と、底壁１４とで囲まれた領域とされている。この注入室１１の前側には、分配室１２が備えられている。
分配室１２は、前壁１５と、左右一対の第１側壁１６と、第１後壁１７と、底壁１４とで囲まれた領域とされていて、鋳型３に溶鋼４を装入する注入口（ストランド）１３が複数設けられている。
【００３０】
なお、本実施形態においては、分配室１２に注入口が４つ設けられたタンディッシュ２を例示して説明する。具体的には、分配室１２の中央から左側には、２つの注入口が幅方向に均等に設けられていて、中央から右側にも、２つの注入口が幅方向に均等に設けられている。つまり、分配室１２には、注入口が幅方向に均等且つほぼ同一直線上に４つ設けられている。
【００３１】
それ故、本実施形態のタンディッシュ２は、注入室１１に対して左右方向に長尺とされた分配室１２を有するものとなっている。なお、本実施形態では、４つ以上といった数多くの注入口が分配室１２に設けられた、左右方向に長尺のタンディッシュ２を対象としている。
このような左右方向に長尺のタンディッシュ２の上部には、カバー体２１が載置されている。
【００３２】
カバー体２１は、一方が開放状とされてなる皿形状に形成された部材であって、開放側を下方に向けて、その下方を向いた状態で本体部９の上部に対面させてタンディッシュ２全体を覆うものである。
具体的には、カバー体２１は、平面視で略Ｔ形状とされたカバー体２１と、そのカバー体２１の各縁から垂下状に設けられた側壁とで構成されものである。垂下状の側壁としては、例えば、カバー体２１の前縁側から垂れ下がるカバー前壁２３、カバー前壁２３の後側であって左右方向に伸びるカバー体２１の縁から垂れ下がる左右一対のカバー後壁２４などがある。
【００３３】
ところで、左右方向に長尺のタンディッシュ２の本体部９には、外壁面から突出状に設けられた張り出し部２５が備えられている。
図１、図４、図５に示すように、張り出し部２５は、タンディッシュカー、あるいは整備場などに配備されているタンディッシュ専用架台などの載置台３８に載置する場合や、吊具３７などで吊り上げる場合に用いられる部材であって、分配室１２の前壁１５と後壁（第１後壁）１７との対面する位置に一対設けられ、且つ左右方向に少なくとも２箇所以上配備されている。
【００３４】
本実施形態においては、一対の張り出し部２５を、本体部９（分配室１２）の中央から左側に１つ配備すると共に、中央から右側に１つ配備している。つまり、張り出し部２５は、本体部９の左右方向に２つ、配備されている。前後一対とされた張り出し部２５を本体部９の左右方向に２つ、配備することで、安定した状態で吊り下げたり、載置したりすることができる。すなわち、タンディッシュ２を安全に搬送することができる。
【００３５】
この張り出し部２５には、本体部９をタンディッシュカーなどの載置台３８に載置する際に当接する載置部位２８，３３と、本体部９を吊り上げる際にロープ体などの索体が掛け止めされる吊り上げ部位２７，３２とが備えられている。
なお、載置部位２８，３３と吊り上げ部位２７，３２に関しては、本実施形態のように、１つの張り出し部２５に共に設けられていてもよいし、別々の位置に設けていていてもよい。例えば、載置部位２８，３３のみの張り出し部２５と、吊り上げ部位２７，３２のみの張り出し部２５とを、本体部９にそれぞれ個別に設けられていてもよい。
【００３６】
具体的には、図２に示すように、張り出し部２５は、前壁１５（前側の長辺）から突出状に設けられた第１張出部材２６と、第１後壁１７（後側の長辺）から突出状に設けられた第２張出部材３０とを有している。
第１張出部材２６は、鋼材などの平板材で形成された部材であって、側方断面視で鉤形状に形成されている。
【００３７】
この第１張出部材２６は、まず本体部９の前壁１５から前方へ突出して、そして本体部９の上部を超えるまで立ち上がり、その後後方へ突出し、さらにその先端から下方へ突出している形状である。つまり、第１張出部材２６は、側方断面視で、上方に回り込んだ鉤形状とされた部材である。
なお、第１張出部材２６における上方に回り込んだ鉤形状の部位が、吊り上げ部位２７とされている。また、第１張出部材２６の下部には、下方へ突出した、側方断面視で矩形状の載置部位２８が形成されている。
【００３８】
また、本体部９の前壁１５から前方へ突出した第１張出部材２６の部位、すなわち第１張出部材２６の基端側には、上方に突出した矩形状の突出片２９が形成されている。この突出片２９は、第１張出部材２６の基端側の上部であって、その基端から前方に一定間隔離れた位置から上方に突出した部材である。
本実施形態においては、カバー体２１が本体部９の上部に載置された際、突出片２９の後側端面と、対面するカバー体２１のカバー前壁２３は、一定の間隔を有するものとなっている。つまり、突出片２９とカバー体２１は、所定距離離れた位置に配設されているともいえる。
【００３９】
また、第２張出部材３０も、鋼材などの平板材で形成された部材であって、側方断面視で鉤形状に形成されている。
第２張出部材３０は、まず本体部９の後壁（分配室１２の第１後壁１７）から後方へ突出して、そして本体部９の上部を超えるまで立ち上がり（立上部位３１）、その後後方へ突出し、さらにその先端から下方へ突出している形状である。つまり、第２張出部材３０は、側方断面視で、下方に回り込んだ鉤形状とされた部材である。
【００４０】
なお、第２張出部材３０における下方に回り込んだ鉤形状の部位が、吊り上げ部位３２とされている。また、第２張出部材３０の下部には、下方へ突出した、側方断面視で矩形状の載置部位３３が形成されている。
ところで、本実施形態においては、カバー体２１が本体部９の上部に載置された際、第２張出部材３０における立上部位３１の前縁面と、対面するカバー体２１のカバー後壁２４は、一定の間隔を有するものとなっている。つまり、第２張出部材３０の立上部位３１とカバー体２１は、所定距離離れた位置に配設されているともいえる。
【００４１】
なお、第２張出部材３０における立上部位３１とカバー体２１との間隔（隙間）は、突出片２９とカバー体２１との間隔とほぼ同じ距離とされている。
次に、本実施形態のタンディッシュ２の特徴的な構成について、図を基に詳しく説明する。
本実施形態のタンディッシュ２には、本体部９の上部にカバー体２１を載置する際に、そのカバー体２１の一部が嵌め込まれるようにして挿入される嵌入部３４が備えられている。本実施形態における嵌入部３４は、第１張出部材２６の突出片２９（嵌入部の一方側）と、第２張出部材３０における立上部位３１（嵌入部の他方側）とで構成されるものである。
【００４２】
この嵌入部３４は、挿入されたカバー体２１の縁部と、隙間調整手段３５（詳細は後述）を介して当接するようになっていて、その当接によりカバー体２１は本体部９の上部で固定されるように載置される。
図１〜図３に示すように、本実施形態における嵌入部３４は、張り出し部２５に対応する位置に備えられている。すなわち本実施形態においては、張り出し部２５が嵌入部３４の役割を有していて、張り出し部２５の基端側に嵌入部３４が備えられている。
【００４３】
嵌入部３４と張り出し部２５を同じ位置にすることで、「タンディッシュ２の本体部９を変形させようとする作用点」と「本体部９の変形を阻止する作用点」が一致することとなり、本体部９とカバー体２１に対して、せん断力や曲げ力が作用されなくなる。
嵌入部３４は、本体部９の上部であって、分配室１２を構成する前壁１５（前側の長辺）と第１後壁１７（後側の長辺）との対面する位置に一対備えられ、且つ左右方向に少なくとも２箇所以上配備されている。嵌入部３４は、第１張出部材２６の突出片２９と、第２張出部材３０における立上部位３１とで構成されるものであり、カバー体２１は突出片２９の後側面と立上部位３１の前側面との空間に嵌め込まれる。
【００４４】
図２、図３に示すように、本実施形態においては、嵌入部３４を構成する突出片２９の配備位置が、載置されたカバー体２１のカバー前壁２３から一定の間隔離れた位置とされている。また、第２張出部材３０の立上部位３１の配備位置は、載置されたカバー体２１のカバー後壁２４から一定の間隔離れた位置とされている。
すなわち、挿入されたカバー体２１と嵌入部３４との間には、一定の隙間が存在していることとなる。カバー体２１の熱膨張量が大きい場合を鑑みて、カバー体２１と嵌入部３４との間に若干の隙間を設けている。
【００４５】
上記した隙間には、嵌入部３４とカバー体２１との間における嵌合の程度を調整する隙間調整手段３５が設けられている。
本実施形態においては、隙間調整手段３５として、嵌入部３４とカバー体２１との間における嵌合の程度を、薄板状のシム（スペーサ）を嵌入部３４に挿入して、そのシムの挿入量で隙間を調整する方法を採用している。なお、隙間調整手段３５としては、例えば、嵌入部３４またはカバー体２１のいずれかに、回転自在としたネジを備えておいて、回転によりネジを伸縮させて、伸縮量で隙間を調整する方法であってもよい。すなわち、隙間調整手段３５は、嵌入部３４とカバー体２１との間の隙間を調整することができる手段であれば、特に限定はしない。
【００４６】
この隙間調整手段３５により、長期の使用によって生じる、タンディッシュ２を構成する本体部９およびカバー体２１の変形の影響による、隙間の調整（修正）が可能となる。すなわち、隙間調整手段３５を用いることで、タンディッシュ２が経年変形して生じる、嵌入部３４の隙間の変動を最適に調整することができる。
一方で、カバー体２１の内部には、カバー体２１の変形を防止する耐圧縮部材３６が設けられている。
【００４７】
図３に示すように、耐圧縮部材（変形防止部材）３６は、カバー体２１の内部に設けられ、且つ前後方向に延びる棒体であり、端部が嵌入部３４に対応する位置となるように配設されている。この耐圧縮部材３６は、本体部９を張り出し部２５を介して、載置又は吊り上げたときに、第１張出部材２６の突出片２９と、第２張出部材３０における立上部位３１とから、カバー体２１にかかる圧縮荷重を受け止めて、カバー体２１の変形を防止するものである。
【００４８】
すなわち、嵌入部３４（張り出し部２５）がカバー体２１を挟んで対峙した状態で、その間で挟まれたカバー体２１の内部に棒体とされた耐圧縮部材３６を、嵌入部３４と前後方向でほぼ同一直線上となるように設けている。
なお、耐圧縮部材３６としては、カバー体２１の変形を防止するものであれば、例示した棒体でもよいし、板材であってもパイプ材であってもよい。すなわち、圧縮荷重を受け止めることのできる部材であれば、特に限定はしない。
【００４９】
以上述べた本発明のタンディッシュ２によれば、左右方向に長尺の本体部９を載置したり、吊り上げたりしても、本体部９に付与される応力を緩和して、タンディッシュ２の変形を防止することができる。
例えば、図４に示すように、タンディッシュ２をタンディッシュカー、あるいは、整備場などに配備されているタンディッシュ専用架台などの載置台３８に載置した状態であっても、本発明の特徴である本体部９の上部に設けられた嵌入部３４、カバー体２１内部に備えられた耐圧縮部材３６により、本体部９及びカバー体２１の変形を防止すると共に、大きな応力も発生しなくなる。本体部９及びカバー体２１の変形を防止することにより、耐火物が変形して耐火物に亀裂が生じることもなくなる。
【００５０】
一方、図５に示すように、タンディッシュ２を吊具３７などで吊り上げた状態であっても、本発明の構成により、本体部９及びカバー体２１の変形を防止すると共に、大きな応力も発生しなくなる。本体部９及びカバー体２１の変形を防止することにより、耐火物が変形して耐火物に亀裂が生じることもなくなる。
また、本発明は、簡単な構成であるので、任意場所に設置することができ、且つタンディッシュ２の製造コストも低減することができる。
【００５１】
なお、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な事項を採用している。
本実施形態においては、カバー体２１と嵌入部３４との間に一定の隙間を設けて、その隙間に隙間調整手段３５を挿入して、カバー体２１を嵌入部３４に嵌め込んでいるが、一定の隙間を設けずに、カバー体２１が嵌入部３４に嵌合するようになっていてもよい。すなわち、図２に示す断面Ａ−Ａにおいて、カバー体２１の前後方向の長さと、嵌入部３４の前後方向の長さとがほぼ同じ長さとしていてもよい。
【００５２】
また、注入口（ストランド）が１つ又は２つであって、本体部（分配室）の左右方向の長さが短いタンディッシュにも、本発明の技術は適用可能である。
【符号の説明】
【００５３】
１  連続鋳造設備
２  タンディッシュ
３  鋳型
４  溶鋼
５  鋳片
６  サポートロール
７  取鍋
８  浸漬ノズル
９  本体部
１０  鉄皮
１１  注入室
１２  分配室
１３  注入口（ストランド）
１４  底壁
１５  前壁
１６  第１側壁
１７  第１後壁
１８  第２側壁
１９  第２後壁
２０  耐火物（耐火レンガ）
２１  カバー体
２３  カバー前壁
２４  カバー後壁
２５  張り出し部
２６  第１張出部材
２７  吊り上げ部位
２８  載置部位
２９  突出片
３０  第２張出部材
３１  立上部位
３２  吊り上げ部位
３３  載置部位
３４  嵌入部
３５  隙間調整手段
３６  耐圧縮部材
３７  吊具
３８  載置台
【図１】
0006377596.tif 000002
【図２】
0006377596.tif 000003
【図３】
0006377596.tif 000004
【図４】
0006377596.tif 000005
【図５】
0006377596.tif 000006
【図６】
0006377596.tif 000007
【図７】
0006377596.tif 000008
【図８】
0006377596.tif 000009